(57)【要約】【課題】本発明は、連続する記録媒体に複数ライン毎に画像を形成する画像形成装置において累積して発生する画像のずれを防止することを目的とする。【解決手段】上位のコントローラ２６から画像データを順次受信して蓄積し、読出し制御信号に応じて蓄積した画像データを出力するバッファ部２８と、ページ内のヘッド１８へ転送するデータのライン数を制御するページ内データ転送ライン数制御部３０と、を備え、ページ内データ転送ライン数制御部３０が、バッファ部２８に蓄積された画像データを取得して、取得して画像データをヘッド１８のアレイのライン数に合わせて、１ページの画像データのライン数を、ヘッド１８の使用するライン数の自然数倍のライン数に制限してヘッド１８へ出力するように制御する。【選択図】図２
2015074142.tif 000002
【特許請求の範囲】
【請求項１】
連続する記録媒体の単位搬送毎に予め定めたライン数の画像を当該記録媒体上に形成するヘッドへ転送するための１ページ分の画像情報を取得する取得手段と、
前記取得手段によって取得された１ページ分の画像情報のライン数を、前記ヘッドが形成するライン数の自然数倍のライン数に制限して前記ヘッドへ転送する転送手段と、
を備えた画像処理装置。
【請求項２】
前記画像情報の解像度と前記ヘッドが形成する画像の解像度とが異なる場合に、前記取得手段によって取得された１ページ分の画像情報の解像度を前記ヘッドが形成する画像の解像度に変換する解像度変換手段を更に備え、
前記転送手段が、前記解像度変換手段によって解像度が変換された画像情報のライン数を、前記ヘッドが形成するライン数の自然数倍のライン数に制限して前記ヘッドへ転送する請求項１に記載の画像形成装置。
【請求項３】
前記ヘッドは、前記転送手段から転送される画像情報の解像度と前記ヘッドが形成する画像の解像度とが異なる場合に、前記転送手段によって転送された画像情報の解像度を前記ヘッドが形成する画像の解像度に変換するヘッド解像度変換手段を含む請求項１に記載の画像処理装置。
【請求項４】
前記取得手段によって取得された１ページ分の画像情報を予め定めた解像度に変換する変換手段を更に備え、前記転送手段が前記変換手段によって解像度が変換された画像情報のライン数を、前記ヘッドが形成するライン数の自然数倍のライン数に制限して前記ヘッドへ転送する請求項３に記載の画像形成装置。
【請求項５】
前記転送手段は、制限するラインとして、１ページの画像形成開始側及び画像形成終了側の少なくとも一方の領域に存在するラインを制限する請求項１〜４の何れか１項に記載の画像処理装置。
【請求項６】
前記転送手段は、制限するラインとして任意のラインを制限する請求項１〜４の何れか１項に記載の画像処理装置。
【請求項７】
連続する記録媒体の搬送毎に、予め定めたライン数の画像を前記記録媒体に形成するヘッドと、
前記記録媒体を搬送する搬送手段と、
請求項１〜６の何れか１項に記載の画像処理装置と、
を備えた画像形成装置。
【請求項８】
コンピュータを、請求項１〜６の何れか１項に記載の画像処理装置の各手段として機能させるための画像処理プログラム。
【発明の詳細な説明】
【技術分野】
【０００１】
本発明は、画像処理装置、画像形成装置、及び画像処理プログラムに関する。
【背景技術】
【０００２】
特許文献１には、画像形成部による１回の走査で複数ラインのドットを形成する画像形成装置のための画像処理装置であって、多値画像データを前記画像形成部の走査方向に順次入力する入力手段と、前記多値画像データを前記走査方向とは垂直な方向に並べ換える変換手段と、前記変換手段により並べ換えが行われた多値画像データの１画素につき、複数のドットから構成されるドットパターンを発生する発生手段とを有し、ドットパターンがＮ×Ｎドット（Ｎは自然数）のパターンで、前記画像形成部が１回の走査でＮ×ａ（ａは自然数）ラインのドットを形成する画像形成装置が提案されている。
【０００３】
また、特許文献２には、副走査方向の基準解像度をｐ（ｄｐｉ）で、副走査方向の解像度がｐ・ａ（ｄｐｉ）（ａは正数）である印刷データを印刷する際に、紙送り手段により副走査方向に１／（ｐ・ａ）インチずらして、同じ領域についてａ回副走査することにより、副走査方向の解像度ｐ・ａ（ｄｐｉ）の印刷を実現することが記載されています。
【０００４】
また、特許文献３には、インクジェットノズルを等間隔のドットピッチで配列して、配列方向にヘッドを移動し、用紙の送り量を制御することにより、高密度印字を行うことが提案されている。
【先行技術文献】
【特許文献】
【０００５】
【特許文献１】特開平９−２００３４号公報
【特許文献２】特開２００４−１４２１００号公報
【特許文献３】特開平６−７１９４７号公報
【発明の概要】
【発明が解決しようとする課題】
【０００６】
本発明は、連続する記録媒体に複数ライン毎に画像を形成する画像形成装置において累積して発生する画像のずれを防止することを目的とする。
【課題を解決するための手段】
【０００７】
請求項１に記載の画像処理装置は、連続する記録媒体の単位搬送毎に予め定めたライン数の画像を当該記録媒体上に形成するヘッドへ転送するための１ページ分の画像情報を取得する取得手段と、前記取得手段によって取得された１ページ分の画像情報のライン数を、前記ヘッドが形成するライン数の自然数倍のライン数に制限して前記ヘッドへ転送する転送手段と、を備えている。
【０００８】
請求項２に記載の発明は、請求項１に記載の発明において、前記画像情報の解像度と前記ヘッドが形成する画像の解像度とが異なる場合に、前記取得手段によって取得された１ページ分の画像情報の解像度を前記ヘッドが形成する画像の解像度に変換する解像度変換手段を更に備え、前記転送手段が、前記解像度変換手段によって解像度が変換された画像情報のライン数を、前記ヘッドが形成するライン数の自然数倍のライン数に制限して前記ヘッドへ転送する。
【０００９】
請求項３に記載の発明は、請求項１に記載の発明において、前記ヘッドは、前記転送手段から転送される画像情報の解像度と前記ヘッドが形成する画像の解像度とが異なる場合に、前記転送手段によって転送された画像情報の解像度を前記ヘッドが形成する画像の解像度に変換するヘッド解像度変換手段を含む。
【００１０】
請求項４に記載の発明は、請求項３に記載の発明において、前記取得手段によって取得された１ページ分の画像情報を予め定めた解像度に変換する変換手段を更に備え、前記転送手段が前記変換手段によって解像度が変換された画像情報のライン数を、前記ヘッドが形成するライン数の自然数倍のライン数に制限して前記ヘッドへ転送する。
【００１１】
請求項５に記載の発明は、請求項１〜４の何れか１項に記載の発明において、前記転送手段は、制限するラインとして、１ページの画像形成開始側及び画像形成終了側の少なくとも一方の領域に存在するラインを制限する。
【００１２】
請求項６に記載の発明は、請求項１〜４の何れか１項に記載の発明において、前記転送手段は、制限するラインとして任意のラインを制限する。
【００１３】
一方、請求項７に記載の画像形成装置は、連続する記録媒体の搬送毎に、予め定めたライン数の画像を前記記録媒体に形成するヘッドと、前記記録媒体を搬送する搬送手段と、請求項１〜６の何れか１項に記載の画像処理装置と、を備えている。
【００１４】
また、請求項８に記載の画像処理プログラムは、コンピュータを、請求項１〜６の何れか１項に記載の画像処理装置の各手段として機能させる。
【発明の効果】
【００１５】
請求項１に記載の発明によれば、連続する記録媒体に複数ライン毎に画像を形成する画像形成装置において累積して発生する画像のずれを防止することが可能な画像処理装置を提供することができる、という効果がある。
【００１６】
請求項２に記載の発明によれば、画像情報の解像度とヘッドの解像度が異なる場合であっても、連続する記録媒体に複数ライン毎に画像を形成する画像形成装置において累積して発生する画像のずれを防止することができる、という効果がある。
【００１７】
請求項３に記載の発明によれば、画像情報の解像度とヘッドの解像度が異なり、ヘッド側で解像度変換を行う場合でも、連続する記録媒体に複数ライン毎に画像を形成する画像形成装置において累積して発生する画像のずれを防止することができる、という効果がある。
【００１８】
請求項４に記載の発明によれば、予め定めた解像度に変換する構成を備えない場合に比較して、ヘッドへ画像情報を転送する際に制限するライン数を少なくすることができる、という効果がある。
【００１９】
請求項５に記載の発明によれば、１ページの画像形成開始側及び画像形成終了側の少なくとも一方のライン以外を制限する場合に比較して、画像への影響を少なくすることができる、という効果がある。
【００２０】
請求項６に記載の発明によれば、任意のライン以外を制限する場合と比較して、画像への影響を少なくすることができる、という効果がある。
【００２１】
請求項７に記載の発明によれば、連続する記録媒体に複数ライン毎に画像を形成する画像形成装置において累積して発生する画像のずれを防止することが可能な画像形成装置を提供することができる、という効果がある。
【００２２】
請求項８に記載の発明によれば、連続する記録媒体に複数ライン毎に画像を形成する画像形成装置において累積して発生する画像のずれを防止することが可能な画像処理プログラムを提供することができる、という効果がある。
【図面の簡単な説明】
【００２３】
【図１】本実施の形態に係る画像形成装置の概略構成を示す図である。
【図２】第１実施形態に係る画像形成装置の制御部の具体的な構成を示すブロック図である。
【図３】第１実施形態に係る画像形成装置の制御部で行われる処理の一例を説明するための図である。
【図４】第２実施形態に係る画像形成装置の制御部の具体的な構成を示すブロック図である。
【図５】第２実施形態に係る画像形成装置の制御部で行われる処理の一例を説明するための図である。
【図６】第３実施形態に係る画像形成装置の制御部で行われる処理の一例を説明するための図である。
【図７】第４実施形態に係る画像形成装置の制御部の具体的な構成を示すブロック図である。
【図８】第５実施形態に係る画像形成装置の制御部の具体的な構成を示すブロック図である。
【図９】第５実施形態に係る画像形成装置の制御部で行われる処理の一例を説明するための図である。
【図１０】ヘッド側の解像度が画像データの解像度と同じ、または自然数倍の解像度でない場合、及びページ長のライン数がヘッドの複数ライン数の自然数倍にならない場合に発生する端数を説明するための図である。
【図１１】ヘッド側の解像度が画像データの解像度と同じ、または自然数倍の解像度でない場合、及びページ長のライン数がヘッドの複数ライン数の自然数倍にならない場合に発生する端数による画像の累積ずれを示す図である。
【発明を実施するための形態】
【００２４】
以下、本実施の形態について図面を参照しつつ説明する。図１は、本実施の形態に係る画像形成装置１０の概略構成を示す図である。
【００２５】
本実施の形態に係る画像形成装置１０は、連続した用紙（以下、連続紙という。）を記録媒体として画像形成を行う。
【００２６】
連続紙は、収納部１６に収納され、予め定めた搬送経路に沿って画像形成を行うヘッド１８まで搬送されて、ヘッド１８によって画像が形成された後に画像形成装置１０から排出される。
【００２７】
ヘッド１８は、本実施の形態では、インクを吐出する複数のノズルを備えて、画像情報（以下、画像データと言う）に基づいて複数のノズルからインクを吐出することによって画像を形成する。具体的には、複数のノズルが連続紙の幅方向に沿って複数ライン配列され、幅方向の画像が複数ラインのノズルによって形成される。例えば、５ラインのノズル列を備えて５ライン全てを用いて画像を形成するようにしてもよいし、５ラインのうちの一部のライン（例えば、４ライン等）を用いて画像を形成するようにしてもよい。
【００２８】
本実施の形態では、画像形成装置１０としてインクジェットプリンタの場合を一例として説明するが、ヘッド１８はこれに限るものではなく、例えば、電子写真方式の画像形成装置を適用して、光露光するヘッドを適用するようにしてもよい。
【００２９】
一方、連続紙が搬送される搬送経路には、連続紙に設けられた穴に挿入されるピンが複数設けられたトラクタ２４が設けられており、トラクタ２４によって連続紙が保持されて搬送される。トラクタ２４は、モータ２０によって駆動される。すなわち、モータ２０が駆動されることによりトラクタ２４が移動し、トラクタ２４に保持された連続紙が搬送される。本実施の形態では、搬送制御部１２がモータ２０の駆動を制御する。
【００３０】
また、搬送経路上に設けられたヘッド１８は、連続紙の予め定めた単位搬送毎に複数ラインのノズルからインクを連続紙に吐出することにより、連続紙を搬送しながら画像形成を行う。本実施の形態では、ヘッド１８によって主走査方向（連続紙の搬送方向と直交する方向）の画像を形成し、連続紙を搬送することによって副走査が行われる。ヘッド１８は、制御部１４によって制御される。本実施の形態では、制御部１４が、搬送速度に合わせて複数ラインの画像データをバッファした後にヘッド１８へ画像データを転送して、ライン毎に副走査方向（連続紙搬送方向）のインクの出力タイミングを制御し、搬送の速度制御とは独立して制御するようになっている。
【００３１】
ところで、従来の連続紙に画像を形成する画像形成装置では、ヘッドとしてＬＥＤアレイを用いていた。そして、１ラインの画像データを入力した後にＬＥＤアレイを発光させるための信号を出力して、連続紙の搬送速度と合わせて露光し、ページに対して副走査方向の画像をページの全体に配置するように画像形成するようにしていた。
【００３２】
このような連続紙の画像形成装置に対して、本実施の形態に係る画像形成装置１０のように、汎用のインクジェットプリンタ等で用いるヘッドを用いる際には、ヘッド１８側の解像度が画像データの解像度と同じ又は自然数倍の解像度でない場合、及びページ長のライン数がヘッドの複数ライン数の自然数倍にならない場合には、端数が出てしまい、処理ができない。また、連続紙であるため、端数が累積して最終的に画像形成位置にずれが生じてしまう。
【００３３】
例えば、図１０に示すように、連続紙の１ページに対応する長さが１０＋１／６インチで、画像データの解像度が２４０ｄｐｉのとき、画像ライン数は２４４０ラインとなる。ヘッド１８の解像度が１６００×１６００ｄｐｉで５ラインのヘッドを用いる場合には、解像度変換すると２４４０ライン×（１６００ｄｐｉ／２４０ｄｐｉ）≒１６２６６．６６６６７となり、１．６６６６７ラインの端数が発生する。これにより、連続紙に続けて画像形成を行うと、図１１に示すように、端数が累積して画像のずれ（累積ずれ）が大きくなってしまう。
【００３４】
本実施の形態は、汎用のインクジェットプリンタ等で用いるヘッド１８を用いて、上述の端数を処理して、図１１に示す累積ずれを防止するようにしたものである。以下の各実施形態では、端数の処理の具体的な例を説明する。
【００３５】
なお、以下の各実施形態では、インクを吐出するヘッド１８を一例として説明するが、上述したように、インクを吐出するものに限るものではなく、例えば、光露光するヘッド等を適用するようにしてもよい。
【００３６】
（第１実施形態）
図２は、第１実施形態に係る画像形成装置の制御部１４の具体的な構成を示すブロック図である。
【００３７】
本実施形態に係る画像形成装置１０の制御部１４は、図２に示すように、バッファ部２８及びページ内データ転送ライン数制御部３０を備えている。
【００３８】
バッファ部２８は、上位のコントローラ２６から画像データを順次受信して蓄積し、ページ内データ転送ライン数制御部３０から出力される読出し制御信号に応じて蓄積した画像データを出力する。
【００３９】
ページ内データ転送ライン数制御部３０は、ページ内のヘッド１８へ転送するデータのライン数を制御する。本実施形態では、読出し制御信号をバッファ部に出力することによりバッファ部２８に蓄積された画像データを取得して、画像データをヘッド１８のアレイのライン数（使用しないラインがある場合には使用するライン数）に合わせて、１ページの画像データのライン数を、ヘッド１８の使用するライン数の自然数倍のライン数に制限してヘッド１８へ出力するように制御する。すなわち、ヘッド１８のライン数の自然数倍のライン数に画像データが制限されることにより、上述の端数が処理される。
【００４０】
ヘッド１８は、ページ内データ転送ライン数制御部３０から転送された画像データに基づいてノズルからインクを吐出して画像を形成する。
【００４１】
続いて、本実施形態に係る画像形成装置１０の制御部１４で行われる具体的な処理について説明する。
【００４２】
図３は、第１実施形態に係る画像形成装置１０の制御部１４で行われる処理の一例を説明するための図である。なお、以下では、画像データとヘッド１８の解像度が１６００×１６００ｄｐｉの場合を例に説明する。
【００４３】
連続紙の１ページに対応する副走査方向の長さが１０＋１／６インチで、画像データの解像度が１６００×１６００ｄｐｉのとき、画像ライン数は小数点以下を切り捨てて１６２６６ラインとなる。
【００４４】
この場合、ヘッド１８のライン数が５ラインとすると、１６２６６ラインでは、５ラインで割りきれないので端数が発生する。
【００４５】
そこで、ページ内データ転送ライン数制御部３０がヘッド１８へ画像データを転送する際に、図３に示すように、画像データのライン数を５ラインの自然数倍に制限して画像データを送信する。すなわち、１６２６５ラインの画像データを送信し、端数の１ラインの送信を制限する。これにより、端数がなくなり、画像の累積ずれがなくなる。
【００４６】
（第２実施形態）
図４は、第２実施形態に係る画像形成装置の制御部の具体的な構成を示すブロック図である。
【００４７】
図４に示すように、本実施形態に係る画像形成装置の制御部１５、バッファ部２８、解像度変換部３２、及びページ内データ転送ライン数制御部３０を備えている。すなわち、第１実施形態に対して解像度変換部３２が設けられた構成とされている。
【００４８】
バッファ部２８は、上位のコントローラ２６から画像データを順次受信して蓄積し、解像度変換部３２から出力される読出し制御信号に応じて蓄積した画像データを出力する。
【００４９】
解像度変換部３２は、画像データの解像度をヘッド１８の解像度に合わせて解像度変換してページ内データ転送ライン数制御部３０へ出力する。
【００５０】
ページ内データ転送ライン数制御部３０は、解像度変換された画像データのページ内のヘッド１８へ転送するデータのライン数を制御する。本実施形態では、解像度変換された画像データを取得して、ヘッド１８のライン数（使用しないラインがある場合には使用するライン数）に合わせて、解像度変換された１ページの画像データのライン数を、ヘッド１８の使用するライン数の自然数倍のライン数に制限してヘッド１８へ出力するように制御する。すなわち、ヘッド１８のライン数の自然数倍のライン数に画像データが制限されることにより、上述の端数が処理される。
【００５１】
ヘッド１８は、ページ内データ転送ライン数制御部３０から転送された画像データに基づいてノズルからインクを吐出して画像を形成する。
【００５２】
続いて、本実施形態に係る画像形成装置の制御部１５で行われる具体的な処理について説明する。図５は、第２実施形態に係る画像形成装置の制御部１５で行われる処理の一例を説明するための図である。なお、以下では、画像データの解像度が２４０ｄｐｉでヘッド１８の解像度が１６００×１６００ｄｐｉの場合を例に説明する。
【００５３】
連続紙の１ページに対応する副走査方向の長さが１０＋１／６インチで、画像データの解像度が２４０ｄｐｉのとき、画像ライン数は２４４０ラインとなる。
【００５４】
解像度変換部３２によって解像度変換されると、２４４０ライン×（１６００ｄｐｉ／２４０ｄｐｉ）≒１６２６６．６６６６７ラインとなり、端数が発生する。
【００５５】
そこで、ページ内データ転送ライン数制御部３０が、１６２６６．６６６６７の５ラインの自然数倍のライン数＝１６２６５ラインに制限して画像データをヘッド１８へ転送する。これにより、解像度変換を行う場合であっても端数がなくなり、画像の累積ずれがなくなる。
【００５６】
（第３実施形態）
第２実施形態では、制御部１５に解像度変換部３２を設けて制御部１５側で解像度変換を行うようにしたが、本実施形態では、ヘッド１８側で解像度変換を行うようにしたものである。すなわち、第２実施形態に対して解像度変換部３２を省略した構成とされ、解像度変換をヘッド１８側で行う。
【００５７】
本実施形態では、制御部１５では、具体的には、以下のようにして端数処理が行われる。
【００５８】
図６は、第３実施形態に係る画像形成装置の制御部で行われる処理の一例を説明するための図である。なお、以下では、画像データの解像度が２４０ｄｐｉでヘッド１８の解像度が１６００×１６００ｄｐｉの場合を例に説明する。
【００５９】
連続紙の１ページに対応する副走査方向の長さが１０＋１／６インチで、画像データの解像度が２４０ｄｐｉのとき、画像ライン数は２４４０ラインとなる。
【００６０】
図６に示すように、ヘッド１８の解像度が１６００×１６００ｄｐｉでライン数が上記と同様に５ラインとする。この場合には、ページ内データ転送ライン数制御部３０は、転送ライン数を、｛２４４０ライン÷（２４０ｄｐｉ／解像度間の最大公約数）／５ライン｝の整数部×（２４０ｄｐｉ／解像度間の最大公約数）×５ラインとして求める。すなわち、｛２４４０ライン÷（２４０ｄｐｉ／解像度間の最大公約数）／５ライン｝の整数部は、１６２×（２４０／８０）×５≒１６２．６６６６６６７となるので、転送ライン数は、１６２×（２４０／８０）×５＝２４３０ラインとなる。ページ内データ転送ライン数制御部３０が２４３０ラインに制限してヘッド１８へデータを転送する。これにより、ヘッド１８側で解像度変換が行われると、データライン数は、２４０３０×１６００／２４０＝１６２００ラインとなって端数がなくなり、画像の累積ずれがなくなる。
【００６１】
なお、本実施形態は、第２実施形態のように制御部１５に解像度変換部３２を更に設けて、予め定めた解像度（任意の解像度）に変換してからヘッド１８へ画像データを送信し、ヘッド１８側でヘッド１８の解像度に更に変換するようにしてもよい。このとき、予め定めた解像度としては制限するライン数が少なくなるような解像度に変換することで、端数を処理する際に制限されるライン数が少なくなる。
【００６２】
（第４実施形態）
図７は、第４実施形態に係る画像形成装置の制御部の具体的な構成を示すブロック図である。
【００６３】
図７に示すように、本実施形態に係る画像形成装置の制御部１７は、バッファ部２８、データ読出し転送制御部３４、ページ内ラインカウンタ回路３６、転送ブロックライン数設定部３８、及び比較部４０を備えている。
【００６４】
バッファ部２８は、上位のコントローラ２６から画像データを順次受信して蓄積し、データ読出し転送制御部３４から出力される読出し制御信号に応じて蓄積した画像データを出力する。
【００６５】
ページ内ラインカウンタ回路３６は、１ページの処理したライン数、または処理するライン数をカウントしてカウント結果を比較部４０へ出力する。
【００６６】
転送ブロックライン数設定部３８は、１ページの開始時及び終了時の少なくとも一方の領域に存在するラインの転送をブロック（制限）する際のライン数を設定する。
【００６７】
比較部４０は、ページ内ラインカウンタ回路３６のカウント結果と、転送ブロックライン数設定部３８によって設定されたライン数に基づいて、１ページの開始時及び終了時の少なくとも一方の設定されたライン数の画像の転送を制限するための画像転送イネーブル信号をデータ読出し転送制御部３４へ出力する。
【００６８】
データ読出し転送制御部３４は、バッファ部２８から１ページ分の画像データを取得して、画像転送イネーブル信号に基づいて、ヘッド１８への画像の転送を行う。
【００６９】
ヘッド１８は、画像データとヘッド１８の解像度が異なる場合には、解像度変換を行って、解像度変換された画像データに基づいてノズルからインクを吐出して画像を形成する。
【００７０】
続いて、本実施形態に係る画像形成装置の制御部１７で行われる具体的な処理について説明する。なお、以下では、画像データの解像度が２４０ｄｐｉでヘッド１８の解像度が１６００×１６００ｄｐｉとされ、ヘッド１８側で解像度変換する場合を例に説明する。
【００７１】
連続紙の１ページに対応する副走査方向の長さが１０＋１／６インチで、画像データの解像度が２４０ｄｐｉのとき、画像ライン数は２４４０ラインとなる。
【００７２】
この場合、ヘッド１８側で解像度変換を行うので、第３実施形態で説明したように、転送ライン数は、１６２×（２４０ｄｐｉ／８０）×５＝２４３０ラインとなる。
【００７３】
ここで、ページ内ラインカウンタ回路３６によってページ内のラインをカウントして、比較部４０が、転送ブロックライン数設定部３８によって設定されたライン数に基づいて、画像転送イネーブル信号をデータ読出し転送制御部３４に出力する。
【００７４】
例えば、転送ブロックライン数設定部３８に１０ラインが設定され、１ページの開始時画像転送イネーブル信号がイネーブルとなりデータ読出し転送制御部３４に出力されて２４３０ラインがヘッド１８に転送される。そして、２４３０ライン転送後、画像転送イネーブル信号の出力が停止されて１ページの残りの１０ラインは転送が制限される。これにより、２４３０ラインがヘッド１８へ転送される。そして、第３実施形態と同様に、ヘッド１８側で解像度変換が行われ、データライン数は、２４０３０×１６００／２４０＝１６２００ラインとなって端数がなくなり、画像の累積ずれがなくなる。
【００７５】
（第５実施形態）
図８は、第５実施形態に係る画像形成装置の制御部の具体的な構成を示すブロック図である。
【００７６】
本実施形態では、図８に示すように、第４実施形態に係る画像形成装置に対して、開始ブロックライン数設定部３９を更に備えている。
【００７７】
本実施形態では、開始ブロックライン数設定部３９によって、１ページの開始時の領域に存在するラインの転送をブロック（制限）する際のライン数を設定し、転送ブロックライン数設定部３８によって、１ページの終了時の領域に存在するラインの転送をブロック（制限）する際のライン数を設定する。
【００７８】
そして、比較部４２が、ページ内ラインカウンタ回路３６のカウント結果と、開始ブロックライン数設定部３９及び転送ブロックライン数設定部３８の各々の設定結果とに基づいて、１ページの開始時及び終了時の設定されたライン数の画像の転送を制限するための画像転送イネーブル信号をデータ読出し転送制御部３４へ出力するようになっている。
【００７９】
次に、本実施形態に係る画像形成装置の制御部１９で行われる具体的な処理について説明する。図９は、第５実施形態に係る画像形成装置の制御部１９で行われる処理の一例を説明するための図である。なお、以下では、画像データの解像度が２４０ｄｐｉでヘッド１８の解像度が１６００×１６００ｄｐｉとされ、ヘッド１８側で解像度変換する場合を例に説明する。
【００８０】
連続紙の１ページに対応する副走査方向の長さが１０＋１／６インチで、画像データの解像度が２４０ｄｐｉのとき、画像ライン数は２４４０ラインとなる。
【００８１】
この場合、ヘッド１８側で解像度変換を行うので、第３実施形態で説明したように、転送ライン数は、１６２×（２４０ｄｐｉ／８０）×５＝２４３０ラインとなる。
【００８２】
ここで、ページ内ラインカウンタ回路３６によってページ内のラインをカウントして、比較部４２が、開始ブロックライン数設定部３９によって設定されたライン数に基づいて、画像転送イネーブル信号をイネーブルにして、データ読出し転送制御部３４に出力する。
【００８３】
例えば、開始ブロックライン数設定部３９に（２４４０-５）ラインが設定され、１ページの開始時に５ラインを制限し、転送ブロックライン数設定部３８に５ラインが設定され、終了時の領域に存在する５ラインを制限する場合には、図９に示すように、１ページの開始時の５ラインの転送が制限された後、画像転送イネーブル信号がデータ読出し転送制御部３４に出力されて２４３０ラインがヘッド１８に転送される。そして、２４３０ライン転送後、画像転送イネーブル信号の出力が停止されて１ページの残りの５ラインは転送が制限される。これにより、２４３０ラインがヘッド１８へ転送される。そして、第３実施形態と同様に、ヘッド１８側で解像度変換が行われ、データライン数は、２４０３０×１６００／２４０＝１６２００ラインとなって端数がなくなり、画像の累積ずれがなくなる。
【００８４】
なお、第５実施形態では、ページの画像形成開始側及び終了側の領域に存在する５ラインを制限する例を説明したが、ページの画像形成開始側または終了側の領域に存在する１０ラインを制限するように、ランダムに制限する等のように任意のラインを制限するようにしてもよい。
【００８５】
また、第４、第５実施形態では、第３実施形態のように、ヘッド１８側で解像度変換を行う例を説明したが、第２実施形態のように、制御部１７側で解像度変換を行うようにしてもよいし、制御部１７側で予め定めた解像度（任意の解像度）に変換して、ヘッド１８側でヘッド１８の解像度に更に変換するようにしてもよい。
【００８６】
また、上記の実施の形態における制御部１４、１５、１７、１９やヘッド１８で行われる、上述の端数の処理や解像度変換の処理は、プログラムとして記憶媒体に記憶して流通させるようにしてもよい。
【符号の説明】
【００８７】
１０    画像形成装置
１２    搬送制御部
１４、１５、１７、１９    制御部
１８    ヘッド
２０    モータ
２８    バッファ部
３０    ページ内データ転送ライン数制御部
３２    解像度変換部
３４    データ読出し転送制御部
３６    ページ内ラインカウンタ回路
３８    転送ブロックライン数設定部
３９    開始ブロックライン数設定部
４０、４２    比較部
【図１】
2015074142.tif 000003
【図２】
2015074142.tif 000004
【図３】
2015074142.tif 000005
【図４】
2015074142.tif 000006
【図５】
2015074142.tif 000007
【図６】
2015074142.tif 000008
【図７】
2015074142.tif 000009
【図８】
2015074142.tif 000010
【図９】
2015074142.tif 000011
【図１０】
2015074142.tif 000012
【図１１】
2015074142.tif 000013